(57)【要約】【課題】オイル分離性の優れた冷媒サイクル用オイルセパレータを安価に製造する。【解決手段】冷媒サイクルを構成するコンプレッサ（圧縮機）１０から吐出された冷媒よりオイルを分離する冷媒サイクル用オイルセパレータ２において、下部にオイル出口３Ｂが形成され、このオイル出口３Ｂより上方に冷媒出口３Ａが形成された本体３と、本体３内に差し込まれ、その先端が当該本体３内で開口する冷媒導入管としての冷媒配管９６とを備え、この冷媒配管９６の先端は本体３の内面に突き当てられると共に、当該先端の一部が本体３の内面より離間する形状に切断されている。【選択図】図３
2007271110.tif 000002
【特許請求の範囲】
【請求項１】
冷媒サイクルを構成する圧縮機から吐出された冷媒よりオイルを分離するためのオイルセパレータであって、
下部にオイル出口が形成され、該オイル出口より上方に冷媒出口が形成された本体と、
該本体内に差し込まれ、その先端が当該本体内で開口する冷媒導入管とを備え、
該冷媒導入管の先端は前記本体の内面に突き当てられると共に、当該先端の一部が前記本体の内面より離間する形状に切断されていることを特徴とする冷媒サイクル用オイルセパレータ。
【請求項２】
前記冷媒導入管は、先端が斜めに切断されていることを特徴とする請求項１に記載の冷媒サイクル用オイルセパレータ。
【請求項３】
前記本体は略円筒形状を呈すると共に、前記冷媒導入管の先端は、当該本体の内面の円周方向に向いて開口していることを特徴とする請求項１又は請求項２に記載の冷媒サイクル用オイルセパレータ。
【請求項４】
前記冷媒サイクルは、二酸化炭素が冷媒として使用されることを特徴とする請求項１乃至請求項３の何れかに記載の冷媒サイクル用オイルセパレータ。
【発明の詳細な説明】
【技術分野】
【０００１】
本発明は、冷媒サイクル装置の圧縮機から吐出された冷媒からオイルを分離するためのオイルセパレータに関するものである。
【背景技術】
【０００２】
従来より、冷媒サイクル装置は、圧縮機、放熱器、減圧装置、蒸発器等を順次環状に配管接続することにより冷媒サイクルが構成されている。そして、コンプレッサにて圧縮された冷媒ガスが放熱器にて放熱し、減圧装置にて減圧された後、蒸発器にて周囲と熱交換して蒸発する。このとき、冷媒は周囲から吸熱することにより冷却作用を発揮するものとされていた。
【０００３】
このような冷媒サイクルを構成する圧縮機には、圧縮要素の摺動部等にオイルが供給され、潤滑とシールを行っているが、係る圧縮要素に供給されたオイルは、冷媒と共に圧縮機から吐出されるため、冷媒回路へのオイル流出が多くなる問題が生じていた。
【０００４】
特に、近年この種冷媒サイクル装置では、地球環境問題からフロン系冷媒が使用できなくなり、例えば、自然冷媒である二酸化炭素を使用する試みがなされている。当該二酸化炭素冷媒は圧力差の大きい冷媒であり、冷媒サイクル装置の高圧側の圧力が非常に高くなるため、摺動部の耐久性を考慮して、高粘度のオイルが使用されることと、二酸化炭素冷媒は他の冷媒と比べて冷媒密度が高いため、冷媒の流速が遅いことから、他の冷媒を使用した冷媒サイクル装置よりオイル溜まりが生じやすく、冷媒循環に支障を来す不都合が生じていた。また、冷媒回路中に止まったオイルは、圧縮機に戻らないので、圧縮機内のオイル量が不足して摺動性能やシール性の悪化を招いていた。
【０００５】
そこで、従来より圧縮機の吐出側にオイルセパレータを配設し、吐出ガスからオイルを分離して、冷媒回路中に吐出させずに、密閉容器内に戻す工夫が成されていた。当該オイルセパレータは、内部にオイルと冷媒とを分離するための所定の空間が形成された本体から構成され、この本体の一側面には、本体内の空間と連通する孔が形成されており、当該孔内に一端が圧縮機の吐出側と接続された冷媒吐出管の他端が連通接続されている。当該冷媒吐出管の他端は、本体内面から所定間隔を存した位置で、且つ、当該冷媒吐出管からの冷媒及びオイルが内面に沿って吐出されるように開口が形成されている。
【０００６】
そして、圧縮機で圧縮された冷媒及び当該冷媒ガス中に混入したオイルは、冷媒吐出管他端の開口からから当該本体の内周に沿って吐出され、吐出時の勢いにより当該空間内を螺旋状に周り、この過程で、冷媒ガス中に混入したオイルが冷媒ガスから遠心分離され、内面に付着し、内面を伝わって本体下部に至り、そこから圧縮機の密閉容器内に戻るものとされていた（例えば、特許文献１参照）。
【特許文献１】特開２００４ー３０８９６８号公報
【発明の開示】
【発明が解決しようとする課題】
【０００７】
ところで、従来のオイルセパレータでは、圧縮機にて圧縮された冷媒ガス及びオイルが吐出される冷媒吐出管は、他端の開口が上述のように本体内面と所定の間隔を存した位置となるように取り付られていたため、当該組み立て時の作業性を鑑みて冷媒吐出管の外周に位置決め部を形成する必要があり、その分、製造コストの増大を招いていた。
【０００８】
特に、冷媒として二酸化炭素冷媒を使用する場合には、オイルセパレータの本体や当該本体と接続される冷媒配管等も肉厚に形成して、二酸化炭素冷媒の高圧に耐え得るように製造しなければ成らないので、オイルセパレータの製造コストが著しく増大する問題が生じていた。
【０００９】
本発明は、係る従来の技術的課題を解決するために成されたものであり、オイル分離性の優れた冷媒サイクル用オイルセパレータを安価に製造することを目的とする。
【課題を解決するための手段】
【００１０】
本発明の冷媒サイクル用オイルセパレータは、冷媒サイクルを構成する圧縮機から吐出された冷媒よりオイルを分離するためのものであって、下部にオイル出口が形成され、このオイル出口より上方に冷媒出口が形成された本体と、本体内に差し込まれ、その先端が当該本体内で開口する冷媒導入管とを備え、この冷媒導入管の先端は本体の内面に突き当てられると共に、当該先端の一部が本体の内面より離間する形状に切断されていることを特徴とする。
【００１１】
請求項２の発明の冷媒サイクル用オイルセパレータは、上記発明において冷媒導入管は、先端が斜めに切断されていることを特徴とする。
【００１２】
請求項３の発明の冷媒サイクル用オイルセパレータは、上記各発明において本体は略円筒形状を呈すると共に、冷媒導入管の先端は、当該本体の内面の円周方向に向いて開口していることを特徴とする。
【００１３】
請求項４の発明の冷媒サイクル用オイルセパレータは、上記各発明において冷媒サイクルは、二酸化炭素が冷媒として使用されることを特徴とする。
【発明の効果】
【００１４】
本発明の冷媒サイクル用オイルセパレータによれば、下部にオイル出口が形成され、このオイル出口より上方に冷媒出口が形成された本体と、本体内に差し込まれ、その先端が当該本体内で開口する冷媒導入管とを備え、この冷媒導入管の先端は本体の内面に突き当てられると共に、当該先端の一部が本体の内面より離間する形状に切断されているので、本体内に冷媒導入管を差し込んでその先端を本体の内面に突き当てるだけで冷媒導入管の位置決めを行うことができる。
【００１５】
特に、冷媒導入管の先端の一部が本体の内面より離間する形状に切断されているので、当該冷媒導入管の先端を本体内面に当接させた状態であっても、オイルを含んだ冷媒を支障なく本体内に流入させることができる。
【００１６】
これにより、従来の位置決め部を形成することなく、オイルを含んだ冷媒を支障なく本体内に流入させることが可能となるので、良好なオイル分離性能を維持しながら、冷媒サイクル用オイルセパレータを安価に製造することが可能となる。
【００１７】
特に、請求項４の如く二酸化炭素を冷媒を使用した冷媒サイクルに上記発明を適用することで、二酸化炭素冷媒使用による製造コストの高騰を極力抑えることができるようになる。
【００１８】
請求項２の発明では、上記発明において冷媒導入管は、先端が斜めに切断されているので、冷媒導入管の部品コストの削減することできる。
【００１９】
請求項３の発明の冷媒サイクル用オイルセパレータは、上記各発明において本体は略円筒形状を呈すると共に、冷媒導入管の先端は、当該本体の内面の円周方向に向いて開口しているので、冷媒導入管から吐出される冷媒が内面の円周形状に沿って旋回する渦をつくるようになるので、遠心力でオイル分離を円滑に行うことができる。
【発明を実施するための最良の形態】
【００２０】
本発明は分離性能の良いの冷媒サイクル用オイルセパレータを安価に製造することを目的とするものであって、特に、冷媒として二酸化炭素を使用する冷媒サイクルにおいて使用可能なオイルセパレータの製造コストを抑えるためになされたものである。冷媒サイクル用オイルセパレータの製造コストを抑えるという目的を、本体内に差し込まれる冷媒導入管の先端の一部を本体の内面より離間する形状に切断することにより実現した。以下、図面に基づき本発明の実施形態を詳述する。
【００２１】
図１は本発明の冷媒サイクル用オイルセパレータを備えた実施例の冷媒サイクル装置の冷媒回路図を示している。図１の冷媒サイクル装置１は、コンプレッサ（圧縮機）１０、本発明のオイルセパレータ２、放熱器１５４、減圧装置としての膨張弁１５６及び蒸発器１５７等を順次環状に配管接続して所定の冷媒サイクルが構成されている。当該冷媒サイクルには、二酸化炭素が冷媒として使用されている。実施例のコンプレッサ１０は、密閉容器１２内に駆動要素としての電動要素１４と、この電動要素１４の回転軸１６にて駆動される第１の回転圧縮要素３２と第２の回転圧縮要素３４とを備えた内部中間圧型の多段（２段）圧縮式ロータリコンプレッサである。そして、冷媒導入管９４から吸い込んだ冷媒（ＣＯ2）を第１の回転圧縮要素３２で圧縮し、この圧縮した中間圧の冷媒ガスを密閉容器内に吐出した後、冷媒導入管９２を介して第２の回転圧縮要素３４に吸い込んで圧縮し、冷媒配管９６に吐出する構成とされている。
【００２２】
前記冷媒導入管９４はコンプレッサの第１の回転圧縮要素３２に冷媒を導入するための冷媒配管であり、当該冷媒導入管９４の一端は当該第１の回転圧縮要素３２の吸込側に接続され、他端は蒸発器１５７の出口に接続されている。
【００２３】
前記冷媒配管９６は第２の回転圧縮要素３４で圧縮された冷媒を後述する冷媒サイクル用オイルセパレータとしてのオイルセパレータ２の本体３に導入するための冷媒導入管であり、この冷媒配管９６の一端は第２の回転圧縮要素３４の吐出側に接続され、他端（先端）はオイルセパレータ２の本体３内で開口している。
【００２４】
また、冷媒導入管９２は密閉容器１２内と第２の回転圧縮要素３４の吸込側とを接続する冷媒配管であり、この冷媒導入管９２は、コンプレッサ１０の外部を通過した後、第２の回転圧縮要素３４の吸込側に接続するように配設されている。即ち、コンプレッサ１０の第１の回転圧縮要素３２にて圧縮され、密閉容器１２内に吐出された中間圧の冷媒は、冷媒導入管９２に流入し、コンプレッサ１０の外部を通過した後、第２の回転圧縮要素３４に吸い込まれるものとされている。
【００２５】
そして、当該コンプレッサ１０の密閉容器１２内底部には、オイル溜めが構成されており、当該オイル溜め内に収納されたオイルが回転軸１６の下端に取り付けられた図示しないオイルポンプにより第１及び第２の回転圧縮要素３２、３４の摺動部等に供給されて潤滑とシールを行っている。また、密閉容器１２の側面にはオイル配管５の他端が接続され、密閉容器１２内にて開口している。当該オイル配管５は、前記オイルセパレータ２にて分離されたオイルを密閉容器１２内の底部に形成されたオイル溜めに戻すための配管である。当該オイル配管５の一端はオイルセパレータ２の底部のオイル出口３Ｂに接続され、本体３内にて開口している。
【００２６】
尚、本実施例では冷媒として高低圧差の大きい二酸化炭素を使用する関係上、オイルは耐久性を考慮して従来のＨＦＣ系冷媒で使用するオイルよりも高粘度のものを使用する。例えば、本実施例では、粘度が＋４０℃で６０ｃｓｔ以上のＰＡＧ（ポリアルキルグリコール）を使用するものとする。尚、実施例の冷媒サイクル装置１に使用するオイルは、上記ＰＡＧに限らず、その他の高粘度のオイルであっても構わない。また、ここで使用される高粘度のオイルとは、流動点がー４０℃以上、粘度が＋４０℃で４０乃至１２０ｃｓｔを満たすものであり、好ましくは、＋４０℃で６０乃至８０ｃｓｔの粘度のオイルを使用こととする。
【００２７】
一方、オイルセパレータ２の冷媒出口３Ａに接続された冷媒配管９７は放熱器１５４の入口に接続され、放熱器１５４の出口は、減圧装置としての膨張弁１５６に至る冷媒配管と接続されている。尚、本実施例の冷媒サイクル装置１では、減圧装置として膨張弁を用いるものとしたが、これ以外に、キャピラリチューブやその他、冷媒を減圧することができるものであればどのような装置を用いても構わない。
【００２８】
そして、膨張弁１５６の出口は、蒸発器１５７の入口に至る配管に接続され、蒸発器１５７の出口は前記冷媒導入管９４と接続される。
【００２９】
ここで、前記オイルセパレータ２について図２に示すオイルセパレータ２の縦断面図及び図３に示すオイルセパレータ２の平断面図を用いて説明する。オイルセパレータ２は、縦長円筒状を呈する本体３と、該本体３の下部に形成されたオイル出口３Ｂと、当該オイル出口３Ｂより上方に形成された冷媒出口３Ａと、本体３の一側面に形成され、当該本体３内外を貫通する孔４とから構成されている。本実施例ではオイル出口３Ｂは本体３の底部に形成され、冷媒出口３Ａは本体３の上部に形成されている。従って、孔４はオイル出口３Ｂと冷媒出口３Ｂの間に位置することとなる。冷媒出口３Ａには放熱器１５４の入口に至る冷媒配管９７が接続され、当該冷媒配管９７の一端が本体３内の上部にて開口している。また、オイル出口３Ｂにはコンプレッサ１０の密閉容器１２内と連通する前記オイル配管５の一端が接続されている。
【００３０】
一方、本体３の一側面に形成された前記孔４には、コンプレッサ１０の第２の回転圧縮要素３４で圧縮された冷媒ガス及びオイル（オイルを含んだ冷媒ガス）を吐出するための前記冷媒配管９６が差し込まれる。当該冷媒配管９６は先端（他端）が斜めに切断されている。具体的には当該冷媒配管９６の先端が先端部９６Ａを起点として冷媒配管９６が延在する方向に対して３０°乃至６０°の角度、好ましくは、４５°の角度で切断されている。これにより、冷媒配管９６の先端（他端）には、当該先端部９６Ａから４５°の角度で斜めに開口した開口部９６Ｂが形成されている。
【００３１】
ここで、当該冷媒配管９６を本体３内に取り付ける手順について説明する。先ず、冷媒配管９６の先端に形成された前記開口部９６Ｂが本体３内面の円周方向（水平方向）に向くように準備し、この状態で孔４から先端を水平方向（図３では右側から左側に）に差し込む。差し込んで行くとやがて冷媒配管９６の先端部９６Ａは対向する本体３の内面６（孔４が形成された側とは反対側の内面）に突き当たる。この段階で冷媒配管９６はそれ以上差し込めなくなり、本体３に対する冷媒配管９６の位置が決定されることになる。この状態で、孔４の周囲の本体３と冷媒配管９６とを溶接して固定し、両者の間をシールする。
【００３２】
このように冷媒配管９６の先端部９６Ａが本体３の内面６に当接し、冷媒配管９６を本体３に固定した状態で、開口部９６Ｂは図２乃至図３に示すように本体３の内面６の円周方向に向いた状態で本体３内に開口している。即ち、実施例では冷媒配管９６の先端を斜めに切断していることで、冷媒配管９６の先端部９６Ａを本体３の内面６に突き当てても、開口部９６Ｂは本体３の内面６より充分に離間した状態となる。これにより、冷媒配管９６に流入したオイルを含んだ冷媒は、開口部９６Ｂから支障無く本体３内に流入することができるようになる。また、開口部９６Ｂは本体３内にて内面６の円周方向に向いて開口しているので、冷媒は内面に沿って渦をつくるように旋回することになる。
【００３３】
このように、本体３内に差し込む冷媒配管９６先端を斜めに切断することで、当該冷媒配管９６を本体３内に取り付ける場合には、冷媒配管９６の先端部９６Ａを本体３の内面６に突き当てるだけで、冷媒配管９６の位置決めを行うことが可能となる。また、上述した如く冷媒配管９６を差し込むだけで、開口部９６Ｂが本体３の内面６より離間した状態となり、且つ、円周方向に向いて開口するので、当該冷媒配管９６の先端からオイルを含んだ冷媒を支障なく本体３内に流入させることができる。
【００３４】
以上の構成で、次に本発明の冷媒サイクル装置１の動作を説明する。図示しない制御装置からコンプレッサ１０の電動要素１４に通電されると、当該電動要素１４が起動する。これにより、コンプレッサ１０の第１の回転圧縮要素３２に低温低圧の冷媒ガスが吸い込まれて圧縮され、中間圧となり、密閉容器１２内に吐出される。密閉容器１２内に吐出された中間圧の冷媒ガスは、冷媒導入管９２に入り一旦、コンプレッサ１０外部を通過した後、コンプレッサ１０内に戻って、第２の回転圧縮要素３４に吸入される。
【００３５】
そして、第２の回転圧縮要素３４にて２段目の圧縮が行われて高温高圧の冷媒ガスとなり、冷媒配管９６よりコンプレッサ１０の外部に吐出される。このとき、後述するように当該冷媒ガスと共に第２の回転圧縮要素３４の摺動部に供給されたオイルも吐出される。コンプレッサ１０から吐出された冷媒ガス及びオイル（オイルを含んだ冷媒ガス）は冷媒配管９６からオイルセパレータ２の本体３内に吐出される。このとき、冷媒ガスと当該冷媒ガス中に混入したオイルは本体３の内面の円周方向に向いて開口している冷媒配管９６の開口部９６Ｂから図３に矢印で示す如く内面の円周形状に沿って吐出され、吐出された冷媒ガス及びオイルは、吐出時の勢いにより内面に沿って渦をつくるように本体３内を旋回する。
【００３６】
この過程で、冷媒ガス中に混入したオイルが冷媒ガスから遠心分離され、本体３の内面に付着し、当該内面を伝わって、底部に形成されたオイル出口３Ｂに至り、当該オイル出口３Ｂに接続されたオイル配管５から密閉容器１２内の下部のオイル溜めに戻される（図１の破線矢印）。
【００３７】
一方、当該オイルセパレータ２の本体３内でオイルと分離した冷媒は、本体３の上端に形成された冷媒出口３Ａに接続され、本体３内の上部で開口する冷媒配管９７からオイルセパレータ２を出て、放熱器１５４内に流入する。そこで、冷媒ガスはファン１１１により空冷方式で放熱した後、放熱器１５４から出て膨張弁１５６を通過する。
【００３８】
冷媒ガスは当該膨張弁１５６を通過する過程で減圧され、その後、蒸発器１５７内に流入する。蒸発器１５７に流入した冷媒は当該蒸発器１５７を流れる過程で蒸発し、空気から吸熱することにより冷却作用を発揮する。蒸発器１５７にて空気と熱交換することにより蒸発した冷媒は、蒸発器１５７から出て冷媒導入管９４に入り、コンプレッサ１０の第１の回転圧縮要素３２に吸い込まれるサイクルを繰り返す。
【００３９】
ここで、コンプレッサ１０の第１及び第２の回転圧縮要素３２、３４の摺動部にはオイルが供給され、潤滑とシールを行う関係上、当該各回転圧縮要素３２、３４に供給されたオイルが冷媒と共に圧縮され、コンプレッサ１０外部に吐出されることとなるが、このオイルをコンプレッサ１０外部に吐出された状態のまま放置すれば、冷媒回路中に止まり、特に、放熱器１５４や蒸発器１５７等の熱交換器の冷媒通路内にオイルが溜まり易い状況となる。
【００４０】
このように、冷媒回路中にオイルが溜まると当該オイルにより冷媒循環に支障を来たす不都合が生じていた。また、冷媒回路中に止まったオイルは、コンプレッサ１０に戻らないので、コンプレッサ１０内のオイル量が不足して摺動性能やシール性の悪化を招いていた。特に、冷媒として二酸化炭素を使用した場合には、当該二酸化炭素が高低圧差の大きい冷媒であり、耐久性を考慮して、高粘度のオイルが使用されることと、二酸化炭素冷媒は他の冷媒と比べて冷媒密度が高いため、冷媒の流速が遅いことから、他の冷媒を使用した冷媒サイクル装置よりオイル溜まりが生じやすく、冷媒循環に支障を来す問題が深刻であった。
【００４１】
しかしながら、コンプレッサ１０の吐出側にオイルセパレータ２を設けることで、第２の回転圧縮要素３４で圧縮された冷媒ガス中に混入したオイルを当該オイルセパレータ２にて遠心分離して、冷媒ガス中に混入したオイルを効果的に分離することができる。
【００４２】
これにより、コンプレッサ１０から冷媒回路中に吐出されるオイル量を著しく低減することができる。特に、放熱器１５３や蒸発器１５７等の熱交換器の冷媒通路内にオイルが溜まる不都合を解消できるので、コンプレッサ１０内がオイル不足となる不都合や冷媒回路内に悪影響を及ぼす不都合も未然に回避することができるようになる。
【００４３】
更に、従来のオイルセパレータ１０２において、コンプレッサ１０にて圧縮された冷媒ガス及びオイルが吐出される冷媒配管１９６の先端部１９６Ａは、図６乃至図７に示すように通常の形状、即ち、本体３の内面６より離間する形状に切断されていないため、当該先端部１９６Ａに形成された開口部１９６Ｂから本体３内にオイルを含んだ冷媒を吐出させるためには、先端部１９６Ａと本体３の内面６とが所定の間隔を存した状態となるように取り付けなければならなかった。この場合、当該組み立て時の作業性を鑑みて冷媒配管１９６外周に位置決め部１９８を形成していた。この位置決め部１９８は、冷媒配管９７の外周縁に凸状に形成された突起部である。
【００４４】
そして、冷媒配管１９６を本体３内に取り付けるには、冷媒配管１９６を先端から孔４内に水平方向に差し込む。差し込んで行くとやがて冷媒配管１９６の位置決め部１９８と本体３の外周縁とが当接して、それ以上差し込めなくなり、本体３に対する冷媒配管１９６の位置が決定されることになる。この状態で、孔４の周囲の本体３と冷媒配管１９６とを溶接して固定し、両者の間をシールする。このように、従来のオイルセパレータ１０２は、位置決め部１９８により、冷媒配管１９６の先端部１９６Ａが本体３の内面６と所定間隔を存した状態で位置決めされていた。これにより、当該先端部１９６Ａの開口部１９６Ｂからオイルを含んだ冷媒を支障なく本体３内に流入させるものであった。
【００４５】
しかしながら、上述した従来の構成のように冷媒配管１９６の外周に位置決め部１９８を形成することで、その分、製造コストが増大する不都合が生じる。特に、本実施例の如く冷媒として二酸化炭素を使用する場合には、コンプレッサ１０の吐出側の圧力が非常に高くなるため、オイルセパレータの本体や当該本体に接続される冷媒配管等を肉厚に形成して、当該に酸化炭素冷媒の高圧に耐えうるように製造しなければ成らないので、製造コストがより一層増大するという問題が生じていた。
【００４６】
これに対して、本発明では冷媒配管９６の先端の一部を本体３の内面６より離間する形状に切断されているので、本体３内に冷媒配管９６を差し込んで、その先端部９６Ａを本体３の内面に突き当てるだけで冷媒配管９６の位置決めを行うことができる。
【００４７】
特に、冷媒配管９６の先端の一部が本体３の内面６より離間する形状に切断されているので、当該冷媒配管９６の先端を本体３の内面６に当接させた状態であっても、オイルを含んだ冷媒を支障なく本体３内に流入させることができる。
【００４８】
これにより、従来の位置決め部１９８を形成することなく、オイルを含んだ冷媒を支障なく本体３内に流入させることが可能となるので、良好なオイル分離性能を維持しながら、冷媒サイクル用オイルセパレータ２を安価に製造することが可能となる。
【００４９】
特に、本実施例では冷媒配管９６の先端を単に斜めに切断するものとしているので、冷媒配管９６の部品コストも削減することができる。更に、冷媒配管９６の先端に形成された開口部９６Ｂは、上述の如く当該本体３の内面の円周方向に向いて開口しているので、冷媒配管９６から吐出される冷媒が内面の円周形状に沿って旋回する渦をつくるようになる。これにより、遠心力でオイル分離を円滑に行うことができる。
【００５０】
更にまた、本実施例の如く二酸化炭素冷媒を使用した冷媒サイクルに本発明のオイルセパレータ２を適用することで、二酸化炭素冷媒使用によるオイルセパレータ２の製造コストの高騰を抑制することができるようになる。
【００５１】
以上詳述した如く本発明により、オイル分離性能の優れた冷媒サイクル装置用オイルセパレータ２を安価に製造することができるようになる。
【００５２】
尚、本実施例では、冷媒配管９６の先端を斜めに切断するものとしたが、請求項１、請求項３又は請求項４の発明では、これに限らず、単に先端の一部を本体３の内面より離間する形状に切断するものとすれば差し支えなく、例えば、図４に示すように先端の一部を切り欠くことにより本体３の内面６より離間する形状としても良いし、図５に示すように先端の両側を凹状に切断することにより本体３の内面６より離間する形状としても構わない。尚、図４及び図５において、９６Ａは冷媒配管９６の先端部、９６Ｂは先端の一部を切断することにより形成された開口部９６Ｂである。この場合も上記実施例同様に、各開口部９６Ｂから円周方向に向かって開口しているので、冷媒配管９６から吐出される冷媒が内面の円周形状に沿って旋回する渦をつくるようになる。これにより、遠心力でオイル分離を円滑に行うことができる。
【００５３】
また、本実施例では、オイルセパレータ２にて分離されたオイルをオイル配管５から密閉容器１２内に戻すものとしたが、オイルを第１の回転圧縮要素３２の吸込側に戻すものとしても差し支えない。
【００５４】
更に、本実施例では、当該オイルセパレータ２を備えた冷媒サイクル装置に二酸化炭素冷媒を用いるものとしたが、請求項１及び請求項３の発明はこれに限定されるものでなく、他の冷媒を用いた冷媒サイクルにも有効である。
【図面の簡単な説明】
【００５５】
【図１】本発明の冷媒サイクル用オイルセパレータを備えた実施例の冷媒サイクル装置の冷媒回路図である。
【図２】本発明を適用した一実施例の冷媒サイクル用オイルセパレータの縦断面図である。
【図３】図２の冷媒サイクル用オイルセパレータの平断面図である。
【図４】本発明を適用した他の実施例の冷媒サイクル用オイルセパレータの平断面図である。
【図５】本発明を適用したもう一つの他の実施例の冷媒サイクル用オイルセパレータの平断面図である。
【図６】従来の冷媒サイクル用オイルセパレータの縦断面図である。
【図７】図６の冷媒サイクル用オイルセパレータの平断面図である。
【符号の説明】
【００５６】
１    冷媒サイクル装置
２    オイルセパレータ
３    本体
３Ａ  冷媒出口
３Ｂ  オイル出口
４    孔
５    オイル配管
６    内面（孔が形成された側とは反対側の内面）
１０  コンプレッサ
１２  密閉容器
１４  電動要素
３２  第１の回転圧縮要素
３４  第２の回転圧縮要素
９２、９４  冷媒導入管
９６、９７  冷媒配管
９６Ａ  先端部
９６Ｂ  開口部
１５４  放熱器
１５６  膨張弁
１５７  蒸発器
【図１】
2007271110.tif 000003
【図２】
2007271110.tif 000004
【図３】
2007271110.tif 000005
【図４】
2007271110.tif 000006
【図５】
2007271110.tif 000007
【図６】
2007271110.tif 000008
【図７】
2007271110.tif 000009